(57)【特許請求の範囲】
【請求項１】
傾斜した天井野縁の上下端部に野縁受が設けられ、妻側の天井野縁と軒側の天井野縁とが交差する住宅の隅棟部の天井野縁構造であって、
前記隅棟部の下端部に設けられ、前記隅棟部の下端部の角部を形成する下天井野縁構成用部材と、
前記隅棟部の上端部に設けられ、前記隅棟部の上端部の角部を形成する上天井野縁構成用部材と、
前記下天井野縁構成用部材と、前記上天井野縁構成用部材とに接合された隅棟天井野縁部材と、を備え、
前記下天井野縁構成用部材は、前記隅棟天井野縁部材を取り付け可能な下天井野縁継手部と、野縁受部材及び前記天井野縁を取り付け可能な下野縁受継手部と、を備え、
前記上天井野縁構成用部材は、前記隅棟天井野縁部材を取り付け可能な上天井野縁継手部と、野縁受部材及び前記天井野縁を取り付け可能な上野縁受継手部と、を備え、
前記天井野縁の下端部の前記野縁受は、前記野縁受部材と前記下野縁受継手部とから成り、
前記天井野縁の上端部の前記野縁受は、前記野縁受部材と前記上野縁受継手部とから成ることを特徴とする天井野縁構造。
【請求項２】
前記隅棟天井野縁部材は、所定の長さの分割体を接合してなることを特徴とする請求項１記載の天井野縁構造。
【請求項３】
前記分割体は、２つの断面コ字状の部材の底面部の裏面同士を、長手方向端部をずらして接合したものからなることを特徴とする請求項１又は２記載の天井野縁構造。
【請求項４】
前記下野縁受継手部及び前記上野縁受継手部は、２つの断面コ字状の部材の端部を接合してなり、前記下天井野縁継手部及び前記上天井野縁継手部は、２つの前記断面コ字状の部材の底面部の裏面同士を、長手方向端部をずらして接合したものからなることを特徴とする請求項１〜３の何れかに記載の天井野縁構造。
【請求項５】
請求項１記載の下天井野縁構成用部材及び上天井野縁構成用部材を用いた天井野縁組み付け方法であって、前記下天井野縁構成用部材及び前記上天井野縁構成用部材を住宅の隅棟部の上端及び下端に設け、次いで、前記下野縁受継手部及び前記上野縁受継手部の端部に前記野縁受部材の端部を接合するとともに、前記下天井野縁継手部及び前記上天井野縁継手部の端部に前記隅棟天井野縁部材の端部を接合してなることを特徴とする天井野縁組み付け方法。
【発明の詳細な説明】
【０００１】
【発明の属する技術分野】
本発明は、隅棟部に天井野縁を構成する際に使用される天井野縁構成用部材、この天井野縁構成用部材を使用した天井野縁構造及びこの天井野縁構成用部材を用いた天井野縁組み付け方法に関する。
【０００２】
【背景の技術】
従来、部屋の天井を構築する場合には、例えば、部屋の上部側に天井野縁を組み、この天井野縁に天井板を貼設することが多い。
この天井板を貼設する天井野縁として、実公平４−４０８７号公報に記載されたものが知られている。
この天井野縁は、部屋の互いに対向する壁面に、開口部が対向する断面コ字状のランナーを固定し、この各ランナーの開口部に断面がロ字状またはコ字状の野縁の両端を嵌合することによって構成されている。そして、この構成の天井野縁においては、ねじ等の止着部材を用いて前記野縁の下面に天井板を固定することによって、天井を形成するようになっている。
【０００３】
ところで、部屋の天井は水平に形成するのが一般的であるが、例えば、住宅の部屋を屋根の傾斜方向に延出させた場合、この屋根の下方に位置する部分の天井が水平となるように天井を形成すると、天井を低くしなければならないので、部屋空間が狭くなり圧迫感を受け易くなる。
そこで、延出した屋根の下方に位置する部分の天井は、屋根の傾斜に沿って傾斜した傾斜天井にし、延出していない屋根の下方に位置する部分の水平天井の縁部に、前記傾斜天井の上縁部を接続するようにしている。
従って、このような水平天井と傾斜天井で構成される複合天井を構成する場合、天井野縁も傾斜天井に合わせた傾斜部と水平天井に合わせた水平部を設ける必要がある。
【０００４】
前記傾斜天井にあっては、例えば、寄せ棟屋根等の場合、妻側及び軒側の傾斜屋根が交差して隅棟部が形成され、この隅棟部に相当する部位に隅棟天井野縁が設けられる。
この隅棟天井野縁としては、例えば、図１３に示す構造のものがある。
図１３に示す隅棟部１００の天井野縁構造の場合、横断面Ｌ字状の鋼製の隅棟天井野縁１０１を用い、その上端部１０１ａは受け材１０２の左端部と天井野縁１０３の上端部に固定され、その下端部１０１ｂは受け材１０２の上面に固定されている。そして、この隅棟天井野縁１０１の側面には、一端が天井野縁１０３と接合された架設材１０４が接合されている。
【０００５】
【発明が解決しようとする課題】
ところで、前記隅棟部１００の天井野縁構造は、上端部１００ａ或いは下端１０１ｂの接合部では、数種類の部材が重なり合って接合されているため、各部材を現場で取り付ける作業が煩雑なものとなってしまい、天井野縁構造を構築する作業の効率化を図る上で大きな障害となっていた。
【０００６】
本発明は、上記課題を解決するために為されたものであって、隅棟部を有する天井野縁の隅棟天井野縁を容易に形成することが出来る天井野縁構成用部材を提供することを目的とし、更に隅棟部の天井野縁を容易に形成することが可能な天井野縁構造及び天井野縁の組み付け方法を提供することを目的とする。
なお、本出願人は、上記課題を解決する技術を、予め日本特許情報機構（ＪＡＰＩＯ）の先行技術調査（パトリス）を利用して、検索キー：天井＊野縁＊（金具＋金物＋部品）にて先行技術を調査し、その結果、特許６５件、実用新案６７件を抽出した。しかし、上記課題を解決するための技術は、発見出来なかった。
【０００７】
【課題を解決するための手段】
上記課題を解決するため、請求項１記載の発明は、例えば、図１〜図１２に示すように、
傾斜した天井野縁２…の上下端部に野縁受３が設けられ、妻側の天井野縁２…と軒側の天井野縁２…とが交差する住宅の隅棟部３０の天井野縁構造であって、
前記隅棟部３０の下端部３１に設けられ、前記隅棟部３０の下端部３１の角部３０ａを形成する下天井野縁構成用部材４と、
前記隅棟部３０の上端部３２に設けられ、前記隅棟部３０の上端部３２の角部３０ｂを形成する上天井野縁構成用部材５と、
前記下天井野縁構成用部材４と、前記上天井野縁構成用部材５とに接合された隅棟天井野縁部材６と、を備え、
前記下天井野縁構成用部材４は、前記隅棟天井野縁部材６を取り付け可能な下天井野縁継手部４２と、野縁受部材３ａ及び前記天井野縁２を取り付け可能な下野縁受継手部４１と、を備え、
前記上天井野縁構成用部材５は、前記隅棟天井野縁部材６を取り付け可能な上天井野縁継手部５２と、野縁受部材３ａ及び前記天井野縁２を取り付け可能な上野縁受継手部５１と、を備え、
前記天井野縁２の下端部の前記野縁受３は、前記野縁受部材３ａと前記下野縁受継手部４１とから成り、
前記天井野縁２の上端部の前記野縁受３は、前記野縁受部材３ａと前記上野縁受継手部５１とから成ることを特徴としている。
【０００８】
請求項１記載の発明によれば、隅棟部３０の下端部３１の角部３０ａを形成する下天井野縁構成用部材４の下天井野縁継手部４２と、隅棟部３０の上端部３２の角部３０ｂを形成する上天井野縁構成用部材５の上天井野縁継手部５２とに、隅棟天井野縁部材６が接合され、下野縁受継手部４１と、上野縁受継手部５１とに、野縁受部材３ａ及び天井野縁２が接合される。従って、隅棟部３０の上端部３２或いは下端部３１にこの下天井野縁構成用部材４及び上天井野縁構成用部材５を取り付けて角部３０ａ、３０ｂを形成し、下天井野縁継手部４２及び上天井野縁継手部５２に隅棟天井野縁部材６を接合させることが出来るとともに、下野縁受継手部４１及び上野縁受継手部５１に野縁受部材３ａ及び天井野縁２を接合させることが出来ることとなって、隅棟部３０の隅棟天井野縁１を容易に形成させることが出来る。
【０００９】
また、住宅の隅棟部３０の角部３０ａ、３０ｂは、大抵直角となっているので、下野縁受継手部４１及び上野縁受継手部５１の角部４１ａ、５１ａをほぼ直角にすることにより、この下天井野縁構成用部材４及び上天井野縁構成用部材５を殆どの住宅の隅棟部に適用出来て便利である。
【００１０】
ここで、天井野縁２は、例えば、金属製のものであってもよいし、また、木製或いは合成樹脂製のものであってもよい。下天井野縁構成用部材４及び上天井野縁構成用部材５も、金属製、木製或いは合成樹脂製のいずれであってもよい。下天井野縁構成用部材４及び上天井野縁構成用部材５は、例えば、図４、図６のように、断面コ字状の鋼製のフレームをほぼ直角にして接合させて下野縁受継手部４１、上野縁受継手部５１を形成するとともに、その角部４１ａ、５１ａに同様の鋼製フレームの底面４２ａ、５２ａ同士を当接させた部材を取り付けて下天井野縁継手部４２、上天井野縁継手部５２が形成される。しかしながら、下天井野縁構成用部材４、上天井野縁構成用部材５はこれに限るものではなく、例えば、断面が四角形状のものを組み合わせたものであっても円形状のものを組み合わせたものであってもよく、特に限定するものではない。
【００１４】
請求項２記載の発明は、請求項１記載の天井野縁構造において、前記隅棟天井野縁部材６は、所定の長さの分割体６１…を接合してなることを特徴としている。
【００１５】
請求項２記載の発明によれば、請求項１記載の発明と同様の効果が得られることは、無論のこと、特に、隅棟天井野縁部材６は、所定の長さの分割体６１…を接合してなるので、傾斜天井の長さに応じて隅棟天井野縁１の長さを所定の範囲で自由に決められることとなって、隅棟天井野縁１を傾斜天井の長さに応じて複数種類用意する必要がなく、例えば、使用頻度の少ない長さの隅棟天井野縁１が在庫として溜まることがない。
【００１６】
請求項３記載の発明は、請求項１又は２記載の天井野縁構造において、前記分割体６１は、２つの断面コ字状の部材の底面部６ａの裏面同士を、長手方向端部６ｂをずらして接合したものからなることを特徴としている。
【００１７】
請求項３記載の発明によれば、請求項１又は２記載の発明と同様の効果が得られることは無論のこと、特に、前記分割体６１は、２つの断面コ字状の部材の底面部６ａの裏面同士を、長手方向端部６ｂをずらして接合したものから出来ている。従って、ずらされた底面部６ａの裏面に他の分割体６１の底面部６ａの裏面を接続することにより、分割体６１同士を確実に接合することが出来る。また、底面部６ａのずらす面積を変えることで接合強度を調整することが出来る。
【００１８】
請求項４記載の発明は、請求項１〜３の何れかに記載の天井野縁構造において、前記下野縁受継手部４１、前記上野縁受継手部５１は、２つの前記断面コ字状の部材の端部を接合してなり、前記下天井野縁継手部４２、前記上天井野縁継手部５２は、２つの前記断面コ字状の部材の底面部４２ａ、５２ａの裏面同士を、長手方向端部４２ｂ、５２ｂをずらして接合したものからなることを特徴としている。
【００１９】
請求項４記載の発明によれば、請求項１〜３の何れかに記載の発明と同様の効果が得られることは無論のこと、特に、下野縁受継手部４１、上野縁受継手部５１は、２つの断面コ字状の部材の端部を接合してなり、下天井野縁継手部４２、上天井野縁継手部５２は、２つの断面コ字状の部材の底面部４２ａ、５２ａの裏面同士を、長手方向端部４２ｂ、５２ｂをずらして接合したものから出来ているので、構造が極めて単純で簡単に製造することが出来る。
【００２０】
また、例えば、請求項１記載の隅棟天井野縁部材６と同一の部材から形成するようにすれば、隅棟天井野縁部材６と材料を共有することが出来ることとなって、下天井野縁構成用部材４、上天井野縁構成用部材５として新たに材料を用意する必要がなく便利である。また、下天井野縁継手部４２、上天井野縁継手部５２の端部４２ｂ、５２ｂは、請求項１記載の天井野縁部材６の端部６ａと同様の形状にされているので、容易に天井野縁部材６の端部６ａと下天井野縁継手部４２、上天井野縁継手部５２の端部４２ｂ、５２ｂとを接合させることが出来る。
【００２１】
請求項５記載の発明は、請求項１記載の下天井野縁構成用部材４、上天井野縁構成用部品５を用いた天井野縁組み付け方法であって、前記下天井野縁構成用部材４、前記上天井野縁構成用部材５を住宅の隅棟部３０の上端部３２及び下端部３１に設け、次いで、前記下野縁受継手部４１、前記上野縁受継手部５１の端部４１ｂ、５１ｂに野縁受部材３ａの端部３ｂを接合させるとともに、前記下天井野縁継手部４２、前記上天井野縁継手部５２の端部４２ｂ、５２ｂに隅棟天井野縁部材６の端部６ｂを接合してなることを特徴としている。
【００２２】
請求項５記載の発明によれば、天井野縁構成用部材６が住宅の隅棟部３０の上端部３２及び下端部３１に設けられ、次いで、下野縁受継手部４１、上野縁受継手部５１の端部４１ｂ、５１ｂに野縁受部材３ａの端部３ｂが接合されるとともに、下天井野縁継手部４２、上天井野縁継手部５２の端部４２ｂ、５２ｂに隅棟天井野縁部材６の端部６ｂが接合される。従って、隅棟部３０の上端部３２及び下端部３１にこの下天井野縁構成用部材４、上天井野縁構成用部材５を取り付けて角部３０ａを形成し、下天井野縁継手部４２、上天井野縁継手部５２の端部４２ｂ、５２ｂに隅棟天井野縁部材６の端部６ｂを接合させることが出来るとともに、下野縁受継手部４１、上野縁受継手部５１の端部４１ｂ、５１ｂに野縁受部材３ａの端部３ｂを接合させることが出来ることとなって、隅棟部３０の隅棟天井野縁１を容易に形成させることが出来る。即ち、予め下天井野縁構成用部材４、上天井野縁用構成用部材５を角部３０ａに取り付け、その後、下天井野縁継手部４２、上天井野縁継手部５２と下野縁受継手部４１、上野縁受継手部５１の端部に隅棟天井野縁部材６及び野縁受部材３ａの端部６ｂ、３ｂを接合させていくことによって、現場で隅棟天井野縁１の傾斜角度の位置決め作業などをすることなく容易に隅棟天井野縁１を構築させることが出来る。
【００２３】
【発明の実施の形態】
以下、図を参照して本発明に係る天井野縁構成用部材、天井野縁構造及び天井野縁組み付け方法の実施の形態を詳細に説明する。
図１は、本発明を好適に実施した住宅の天井野縁構造要部の平面図であり、図２は、隅棟部の天井野縁構造を示す斜視図である。
【００２４】
図１に示す住宅の天井野縁構造においては、水平天井（図示省略）を構築するための水平天井野縁部１０と傾斜天井（図示省略）を構築するための傾斜天井野縁部２０が設けられている。
前記傾斜天井野縁部２０は、更に住宅の妻側の妻側傾斜天井野縁部２０ａと軒側の軒側傾斜天井野縁部２０ｂとから構成され、前記妻側傾斜天井野縁部２０ａの天井野縁２と前記軒側傾斜天井野縁部２０ｂの天井野縁２とが交差する隅棟部３０には、隅棟天井野縁１が設けられている。
また、前記天井野縁構造を構成する各天井野縁２の上下端部には、前記隅棟部３０を除いて、該上下端部を固定する天井野縁受３が設けられている。
前記天井野縁２は、例えば、図２に示すように断面がロ字状の長尺な鋼製角筒体から出来ている。
【００２５】
前記天井野縁受３は、例えば、断面がコ字状の長尺な鋼製フレームから出来ていて、その開口部３ｃに前記天井野縁２が挿入されて固定されるようになっている。
前記隅棟天井野縁１は、前記隅棟部３０の下端部３１に設けられた下天井野縁構成用部材４と、前記水平天井野縁部１０と交わる上端部３２に設けられた上天井野縁構成用部材５と、前記下天井野縁構成用部材４と前記上天井野縁構成用部材５とに接合された隅棟天井野縁部材６によって構成されている。
【００２６】
前記下天井野縁構成用部材４は、図２に示すように、住宅の壁４０の内側上端部に設けられた勾配結合棟木７の勾配面７ａに沿って設けられている。この下天井野縁構成用部材４は、例えば、図３、図４に示すように、断面がコ字状の鋼製フレームから出来ていて、前記野縁受部材３ａが取り付けられる下野縁受継手部４１と、前記隅棟天井野縁部材６が取り付けられる下天井野縁継手部４２を備えている。
【００２７】
前記下野縁受継手部４１は２つの前記鋼製フレームの一端部に設けた切り欠き部同士を接合させたものであって、２つの鋼製フレームが接合された角部４１ａは略直角となるようにされている。
その両端部４１ｂ、４１ｂは、前記野縁受部材３ａを取り付けることが出来るようになっているとともに、この下野縁受継手部４１が前記野縁受３の一部を形成している。そして、この下野縁受継手部材４１のコ字状の開口部４１ｃには、前記天井野縁２を取り付けることが出来るようになっている。
【００２８】
前記下天井野縁継手部４２は、２つの前記鋼製フレームの底面部４２ａの裏面同士を接合させたものからできている。この下天井野縁継手部４２の一の端部は、前記下野縁受継手部４１の角部４１ａの内側に接合され、もう一方の端部は、２つの鋼製フレームの端部４２ｂ、４２ｂがずれて接合された形状を有し、前記隅棟天井野縁部材６が取り付けられるようになっている。従って、この下天井野縁継手部４２は、前記隅棟天井野縁１の一部を形成している。
また、この下天井野縁継手部４２のコ字状開口部４２ｃ、４２ｃには、前記天井野縁３を取り付けることが出来るようになっている。
ここで、下天井野縁構成用部材４は、図３のように、予め工場で、野縁受継手部４１と天井野縁受継手部４２が一体化したものを使用してもよいし、図４に示すように、野縁受継手部４１と天井野縁受継手部４２を各々別個に用意して現場等で組み合わせて製造してもよい。
【００２９】
前記上天井野縁構成用部材５は、図１又は図２に示すように、前記水平天井（図示省略）を構成する水平天井野縁部１０との見切り部１１に設けられている。
前記上天井野縁構成用部材５は、前記下天井野縁構成用部材４と同様に、図５、図６に示すように、例えば、断面がコ字状の鋼製フレームから出来ていて、前記野縁受部材３ａが取り付けられる上野縁受継手部５１と、前記隅棟天井野縁部材６が取り付けられる上天井野縁継手部５２とを備えている。
【００３０】
前記上野縁受継手部５１は、２つの鋼製フレームの端部同士を接合して角部５１ａを形成したものからなり、この角部５１ａは略直角となるようにされている。
その各鋼製フレームの端部５１ｂ、５１ｂには、前記野縁受部材３ａを取り付けることが出来るようになっているとともに、この上野縁受継手部５１は、前記野縁受３の一部を形成している。そして、この上野縁受継手部５１のコ字状開口部５１ｃ、５１ｃには、前記天井野縁２を取り付けることが出来るようになっている。
【００３１】
前記上天井野縁継手部５２は２つの前記鋼製フレームの底面部５２ａの裏面同士を接合させたものからできている。この上天井野縁継手部５２の一の端部は、前記野縁受継手部５１の角部５１ａの外側に接合され、もう一方の端部は、２つの鋼製フレームの端部５２ｂ、５２ｂがずれて接合された形状を有し、前記隅棟天井野縁部材６の端部を取り付けることが出来るようになっているとともに、この上天井野縁継手部５２は、前記隅棟天井野縁１の一部を形成している。また、この上天井野縁継手部５２のコ字状開口部５２ｃには、前記天井野縁３を取り付けることが出来るようになっている。
ここで、上天井野縁構成用部材５は、図５のように、予め工場で、野縁受継手部５１と天井野縁受継手部５２が一体化したものを使用してもよいし、図６に示すように、野縁受継手部５１と天井野縁受継手部５２を各々別個に用意して現場等で組み合わせて製造してもよい。
【００３２】
前記隅棟天井野縁部材６は、例えば、図７に示すように、２つの断面コ字状の鋼製フレームの底面部６ａの裏面同士を接合させたものから出来ていて、その端部６ｂ、６ｂがずれて接合された形状を有している。また、その側面には、対向して開口部６ｃ、６ｃが設けられている。
前記隅棟天井野縁部材６は、図８に示すように、前記下天井野縁継手部４２及び前記上天井野縁継手部５２の露出した底面部４２ａ、５２ａに前記隅棟天井野縁部材６の底面部６ａを当接させて接合することが出来るようになっている。
【００３３】
ここで、隅棟天井野縁部材６は、例えば、図８に示すように、傾斜天井（図示省略）の長さに応じて複数の分割体６１を連結させるようにしてもよい。
このように、分割体６１を複数接合させた隅棟天井野縁部材６を使用することにより、傾斜天井（図示省略）の長さに応じて隅棟天井野縁１の長さを所定の範囲で自由に決められるので、隅棟天井野縁１を傾斜天井（図示省略）の長さに応じて複数種類用意する必要がなく、例えば、使用頻度の少ない長さの隅棟天井野縁が在庫として溜まることがない。
また、前記分割体６１は、２つの断面コ字状の部材の底面部６ａの裏面同士を、長手方向端部６ｂをずらして接合したものから出来ている。
従って、ずらされた底面部６ａの裏面に他の分割体６１の底面部６ａの裏面を接続することにより、分割体６１同士を確実に接合することが出来る。
【００３４】
また、底面部６ａのずらす面積を変えることで接合強度を調整することが出来る。
また、前記下天井野縁構成部材４、前記上天井野縁構成部材５、及び隅棟天井野縁部材６は同一の断面コ字状の部材から形成されていれる。
従って、材料を共有することが出来ることとなって、それぞれ別個独立の材料を用意する必要がなく便利である。
【００３５】
次に、上記天井野縁構成用部材４，５を使用した隅棟部３０の天井野縁構造を構築するための天井野縁組み付け方法について図９〜１２を用いて説明する。
まず、図９に示すように、所定の角度を有する勾配結合棟木７を住宅の外壁４０の内側面の上部に取り付けた後、前記外壁４０の角部３０ａ（即ち、隅棟部３０の下端部３１）に前記下天井野縁構成用部材４を前記勾配結合棟木７の勾配面７ａにビス７ｂ…等によって取り付ける。
【００３６】
次いで、前記下天井野縁構成用部材４の前記下野縁受継手部４１の端部４１ｂに当接させて断面コ字状の野縁受部材３ａを取り付ける（図１０参照）。
そして、図１１に示すように、前記水平天井野縁部１０の見切り部１１の角部３０ｂ（即ち隅棟部３０の上端部３２）に前記上天井野縁構成用部材５を取り付け、前記野縁受部材３ａを前記上野縁受継手部５１の端部５１ｂに取り付け、更にこの野縁受部材３ａの開口部３ｃに野縁２を取り付けることにより、図１２に示す状態とする。
【００３７】
次いで、前記下野縁受継手部４１と野縁受部材３ａからなる野縁受３の開口部４１ｃ、３ｃと、前記下天井野縁継手部４２、前記上天井野縁継手部４３、及び前記隅棟天井野縁部材の開口部４２ｃ、５２ｃ、６ｃとに接合して天井野縁２を設けることにより、隅棟部３０の天井野縁構造が構築される（図２参照）。
【００３８】
以上説明した本発明に係る天井野縁構造及び天井野縁の組み付け方法に形成する天井野縁構成用部材４、５の天井野縁継手部４２、５２の端部４２ｂ、５２ｂに隅棟天井野縁部材６が接合され、野縁受継手部４１、５１の端部４１ｂ、５１ｂに野縁受部材３ａが接合されるので、隅棟部３０の上端部３２或いは下端部３１にこの天井野縁構成用部材４、５を取り付けて角部３０ａを形成し、天井野縁継手部４２、５２の端部４２ｂ、５２ｂに隅棟天井野縁部材６の端部６ｂを接合させることが出来るとともに、野縁受継手部４１、５１の端部４１ｂ、５１ｂに野縁受部材３ａの端部３ｂを接合させることが出来ることとなって、隅棟部３０の隅棟天井野縁１を容易に形成させることが出来る。
即ち、予め野縁受３…及び隅棟天井野縁１の一部を構成する天井野縁用構成部材４、５を角部３０ａに取り付け、その後、天井野縁継手部４２、５２と野縁受継手部４１、５１の端部に隅棟天井野縁部材６及び野縁受３ａの端部を接合させていくことによって、現場で隅棟天井野縁１の傾斜角度の位置決め作業などをすることなく容易に隅棟天井野縁１を構築させることが出来る。
また、住宅の隅棟部３０の角部３０ａは、大抵直角となっているので、野縁受継手部４１、５１の角部４１ａ、５１ａをほぼ直角にすることにより、この天井野縁構成用部材４、５を殆どの住宅の隅棟部に適用出来て便利である。
【００３９】
【発明の効果】
請求項１記載の発明によれば、隅棟部の下端部の角部を形成する下天井野縁構成用部材の下天井野縁継手部と、隅棟部の上端部の角部を形成する上天井野縁構成用部材の上天井野縁継手部とに、隅棟天井野縁部材が接合され、下野縁受継手部と、上野縁受継手部とに、野縁受部材及び天井野縁が接合される。従って、隅棟部の上端部或いは下端部にこの下天井野縁構成用部材及び上天井野縁構成用部材を取り付けて角部を形成し、下天井野縁継手部及び上天井野縁継手部に隅棟天井野縁部材を接合させることが出来るとともに、下野縁受継手部及び上野縁受継手部に野縁受部材及び天井野縁を接合させることが出来ることとなって、隅棟部の隅棟天井野縁を容易に形成させることが出来る。また、住宅の隅棟部の角部は、大抵直角となっているので、下野縁受継手部及び上野縁受継手部の角部をほぼ直角にすることにより、この下天井野縁構成用部材及び上天井野縁構成用部材を殆どの住宅の隅棟部に適用出来て便利である。
【００４１】
請求項２記載の発明によれば、請求項１記載の発明と同様の効果が得られることは、無論のこと、特に、隅棟天井野縁部材は、所定の長さの分割体を接合してなるので、傾斜天井の長さに応じて隅棟天井野縁の長さを所定の範囲で自由に決められることとなって、隅棟天井野縁を傾斜天井の長さに応じて複数種類用意する必要がなく、例えば、使用頻度の少ない長さの隅棟天井野縁が在庫として溜まることがない。
【００４２】
請求項３記載の発明によれば、請求項１又は２記載の発明と同様の効果が得られることは無論のこと、特に、前記分割体は、２つの断面コ字状の部材の底面部の裏面同士を、長手方向端部をずらして接合したものから出来ているので、ずらされた底面部の裏面に他の分割体の底面部の裏面を接続することにより、分割体同士を確実に接合することが出来る。また、底面部のずらす面積を変えることで接合強度を調整することが出来る。
【００４３】
請求項４記載の発明によれば、請求項１〜３の何れかに記載の発明と同様の効果が得られることは無論のこと、特に、下野縁受継手部及び上野縁受継手部は、２つの断面コ字状の部材の端部を接合してなり、下天井野縁継手部及び上天井野縁継手部は、２つの断面コ字状の部材の底面部の裏面同士を、長手方向端部をずらして接合したものから出来ているので、構造が極めて単純で簡単に製造することが出来る。また、例えば、請求項１記載の隅棟天井野縁部材と同一の部材から形成するようにすれば、隅棟天井野縁部材と材料を共有することが出来ることとなって、下天井野縁構成用部材及び上天井野縁構成用部材として新たに材料を用意する必要がなく便利である。また、下天井野縁継手部及び上天井野縁継手部の端部は、請求項１記載の天井野縁部材の端部と同様の形状にされているので、容易に下天井野縁部材及び上天井野縁部材の端部と下天井野縁継手部及び上天井野縁継手部の端部とを接合させることが出来る。
【００４４】
請求項５記載の発明によれば、下天井野縁構成用部材及び上天井野縁構成用部材が住宅の隅棟部の上端及び下端に設けられ、次いで、下野縁受継手部及び上野縁受継手部の端部に野縁受部材の端部が接合されるとともに、下天井野縁継手部及び上天井野縁継手部の端部に隅棟天井野縁部材の端部が接合される。従って、隅棟部の上端及び下端にこの下天井野縁構成用部材及び上天井野縁構成用部材を取り付けて角部を形成し、下天井野縁継手部及び上天井野縁継手部の端部に隅棟天井野縁部材の端部を接合させることが出来るとともに、下野縁受継手部及び上野縁受継手部の端部に野縁受部材の端部を接合させることが出来ることとなって、隅棟部の隅棟天井野縁を容易に形成させることが出来る。即ち、予め下天井野縁構成用部材及び上天井野縁構成用部材を角部に取り付け、その後、下天井野縁継手部及び上天井野縁継手部と下野縁受継手部及び上野縁受継手部の端部に隅棟天井野縁部材及び野縁受部材の端部を接合させていくことによって、現場で隅棟天井野縁の傾斜角度の位置決め作業などをすることなく容易に隅棟天井野縁を構築させることが出来る。
【図面の簡単な説明】
【図１】本発明を好適に実施した住宅の天井野縁構造要部の平面図である。
【図２】隅棟部の天井野縁構造を示す斜視図である。
【図３】下天井野縁構成用部材の構成を示した斜視図である。
【図４】下天井野縁構成用部材の構成を示した分解斜視図である。
【図５】上天井野縁構成用部材の構成を示した斜視図である。
【図６】上天井野縁構成用部材の構成を示した分解斜視図である。
【図７】隅棟天井野縁部材の構成を示した斜視図である。
【図８】下天井野縁構成用部材、上天井野縁構成用部材、及び隅棟天井野縁部材を接合させて隅棟天井野縁を形成した状態を示した斜視図である。
【図９】下天井野縁構成用部材が取り付けられた隅棟部の下端部の斜視図である。
【図１０】下天井野縁構成用部材が取り付けられた住宅の隅棟部の状態を示した斜視図である。
【図１１】上天井野縁構成用部材が取り付けられた隅棟部の上端部の斜視図である。
【図１２】下天井野縁構成用部材と上天井野縁構成用部材が取り付けられた住宅の隅棟部の状態を示した斜視図である。
【図１３】従来の隅棟部の天井野縁構造を示した斜視図である。
【符号の説明】
１    隅棟天井野縁
２    天井野縁
３    野縁受
３ａ  野縁受部材
４    下天井野縁構成用部材
５    上天井野縁構成用部材
６    隅棟天井野縁部材
３０    隅棟部
３１    下端
３２    上端
４１    野縁受継手部
４２    天井野縁継手部
５１    野縁受継手部
５２    天井野縁継手部
【図１】
0004010634.tif 000002
【図２】
0004010634.tif 000003
【図３】
0004010634.tif 000004
【図４】
0004010634.tif 000005
【図５】
0004010634.tif 000006
【図６】
0004010634.tif 000007
【図７】
0004010634.tif 000008
【図８】
0004010634.tif 000009
【図９】
0004010634.tif 000010
【図１０】
0004010634.tif 000011
【図１１】
0004010634.tif 000012
【図１２】
0004010634.tif 000013
【図１３】
0004010634.tif 000014